(57)【要約】【課題】扉に室内側から人が寄りかかるなどして扉が開かなくなった場合に、危険を伴ったり多くの手間や時間をかけたりしなくても扉を開けることができる戸当りを提供する。【解決手段】扉１に当接可能な状態で扉枠２に取り付けられる戸当り１０であって、扉枠２に取り付けられる取付台１２と、扉１に当接可能な戸当り本体１３と、を有し、戸当り本体１３が取付台１２に対して着脱自在に構成され、戸当り本体１３を取付台１２から取り外した状態では、戸当り本体１３を取り外した箇所を扉１が通過するように回動させても、取付台１２が扉１に干渉しない形状に形成されている。【選択図】図１１
2019131952.tif 000002
【特許請求の範囲】
【請求項１】
扉に当接可能な姿勢で扉枠に取り付けられる戸当りであって、
扉枠に取り付けられる取付台と、扉に当接可能な戸当り本体と、を有し、
戸当り本体が取付台に対して着脱自在に構成され、
戸当り本体を取付台から取り外した状態では、戸当り本体を取り外した箇所を扉が通過するように回動させても、取付台が扉に干渉しない形状に形成されている
ことを特徴とする戸当り。
【請求項２】
戸当り本体が、取付台に対して、扉の回動方向に対して直交する方向にスライド自在に取り付けられていることを特徴とする請求項１に記載の戸当り。
【請求項３】
戸当り本体を取付台に連結する連結部を有し、
前記連結部は、戸当り本体に回転自在に取り付けられ、戸当り本体より露出して回転自在の回転操作部と、回転操作部と一体的に回転して、戸当り本体が取付台から離脱可能な離脱可能姿勢と戸当り本体が取付台から離脱できない係止姿勢とに切り替えられる係止回転体と、を有する
ことを特徴とする請求項１または２に記載の戸当り。
【請求項４】
回転操作部は、硬貨により回転されて切替可能であることを特徴とする請求項３に記載の戸当り。
【発明の詳細な説明】
【技術分野】
【０００１】
本発明は、前後に回動可能な扉を片開きにするために用いられる戸当りに関する。
【背景技術】
【０００２】
浴室などの部屋の出入口に、ヒンジを介して、扉を前後に回動可能に取り付ける一方で、この扉が室内側しか開かないように（すなわち片開き構造にするため）、天井枠などに戸当りを取り付ける構造は既に知られている。また、扉として、ガラスや半透明の樹脂など透光性を有するものが用いられることがある。
【先行技術文献】
【特許文献】
【０００３】
【特許文献１】特開２０１７−２０１９６公報
【発明の概要】
【発明が解決しようとする課題】
【０００４】
ところで、この種の片開き構造が設けられている場合において、浴室などの扉の近くで人が意識を失うなどして扉に室内側から人が寄りかかり、扉が開かなくなることがある。扉が透光性を有するものである場合には、このような状況を扉の外側（室外側）からより認識し易い。
【０００５】
このような場合に、意識を失うなどした人を助けるべく、従来は、扉を破壊したり、工具を用いるなどして戸当りを取り外したりしている。しかしながら、扉を破壊する場合には危険を伴ってしまう。また、工具を用いるなどして戸当りを取り外す場合には多くの手間や時間がかかってしまう。
【０００６】
本発明は上記課題を解決するもので、扉に室内側から人が寄りかかるなどして扉が開かなくなった場合に、危険を伴ったり、多くの手間や時間をかけたりしなくても扉を開けることができる戸当りを提供することを目的とするものである。
【課題を解決するための手段】
【０００７】
上記課題を解決するために、本発明は、扉に当接可能な状態で扉枠に取り付けられる戸当りであって、扉枠に取り付けられる取付台と、扉に当接可能な戸当り本体と、を有し、戸当り本体が取付台に対して着脱自在に構成され、戸当り本体を取付台から取り外した状態では、戸当り本体を取り外した箇所を扉が通過するように回動させても、取付台が扉に干渉しない形状に形成されていることを特徴とする。
【０００８】
この構成によれば、戸当り本体が取付台から着脱自在であるので、意識を失うなどした人が扉に寄りかかるなどして扉が開かなくなった場合には、戸当り本体を取付台から取り外すことで、扉を手前に開けることが可能となる。これにより、危険を伴ったり多くの手間や時間をかけたりしなくても扉を手前に開けることができる。
【０００９】
また、本発明は、戸当り本体が、取付台に対して、扉の回動方向に対して直交する方向にスライド自在に取り付けられていることを特徴とする。この構成により、戸当り本体が取付台に対して着脱する際のスライド方向が、扉の回動方向とは異なるとともに、直交する方向であるので、通常使用時において当該戸当りに扉が当接する際に、戸当り本体が、取付台に対して離脱する方向には移動し難くなり、戸当りによって扉を良好に受け止めることができる。
【００１０】
また、本発明は、戸当り本体を取付台に連結する連結部を有し、前記連結部は、戸当り本体に回転自在に取り付けられ、戸当り本体より露出して回転自在の回転操作部と、回転操作部と一体的に回転して、戸当り本体が取付台から離脱可能な離脱可能姿勢と、戸当り本体が取付台から離脱できない係止姿勢とに切り替えられる係止回転体と、を有することを特徴とする。
【００１１】
この構成によれば、係止回転体を係止姿勢に保持することで戸当り本体が取付台から離脱することを防止できる。また、この状態から回転操作部を操作して、係止回転体を離脱可能姿勢に切り替えることで、戸当り本体を取り外すことが可能となる。
【００１２】
また、回転操作部が、硬貨を用いて切替可能であると好適であり、これによれば、硬貨を用いて回転操作部および係止回転体を回転させて、係止回転体を離脱可能姿勢とし、戸当り本体を取り外すことが可能となる。
【発明の効果】
【００１３】
本発明によれば、扉枠に取り付けられる戸当りが、扉枠に取り付けられる取付台と、扉に当接可能な戸当り本体と、を有し、戸当り本体が取付台に対して着脱自在に構成され、戸当り本体を取付台から取り外した状態では、戸当り本体を取り外した箇所を扉が通過するように回動させても、取付台が扉に干渉しない形状に形成することにより、意識を失うなどした人が扉に寄りかかるなどして扉が開かなくなった場合でも、戸当り本体を取付台から取り外すことで、扉を手前に開けることが可能となり、危険を伴ったり多くの手間や時間をかけたりしなくても扉を開けることができ、意識を失うなどした人を安全かつ多くの手間や時間をかけずに救出することができる。
【００１４】
また、戸当り本体を、取付台に対して、扉の回動方向に対して直交する方向にスライド自在に取り付ける構造とすることにより、当該戸当りに扉が当接する際に、戸当り本体が、取付台に対して離脱する方向には移動し難くなり、当該戸当りによって扉を良好に受け止めることができ、ひいては当該戸当りの信頼性を向上することができる。
【００１５】
また、戸当り本体を取付台に連結する連結部を有し、前記連結部は、戸当り本体に回転自在に取り付けられ、戸当り本体より露出して回転自在の回転操作部と、回転操作部と一体的に回転して、戸当り本体が取付台から離脱可能な離脱可能姿勢と、戸当り本体が取付台から離脱できない係止姿勢とに切り替えられる係止回転体と、を有することにより、係止回転体を係止姿勢に保持することで戸当り本体が取付台から離脱することを防止できて当該戸当りの信頼性を向上することができる。また、この状態から回転操作部を操作して、係止回転体を離脱可能姿勢とすることで、戸当り本体を容易に取り外すことが可能となり、戸当り本体を取り外す際の手間や時間を最小限に抑えることができる。
【００１６】
また、回転操作部が、硬貨を用いて切替可能に構成することにより、戸当り本体を取り外すための工具などを使用しなくても、硬貨を用いて回転操作部および係止回転体を回転させて戸当り本体を取付台から容易に取り外すことができる。
【図面の簡単な説明】
【００１７】
【図１】本発明の実施の形態に係る戸当り、およびこの戸当りが設けられている扉と扉枠とを示す斜視図であり、扉枠に戸当りが取り付けられている（固定されている）状態を斜め下方から見た状態を示す。
【図２】同戸当りの斜視図であり、戸当りを斜め上方から見た状態を示す。
【図３】同戸当りの縦断面図である。
【図４】同戸当りの分解斜視図である。
【図５】同戸当りの取付台の斜視図である。
【図６】扉枠（または取付台）から戸当り本体が外されて、取付台のみが取り付けられている状態を示す斜視図である。
【図７】同戸当りの戸当り本体の斜視図である。
【図８】同戸当りの戸当り本体の平面図である。
【図９】扉枠（または取付台）から戸当り本体をスライドさせて外そうとしている状態を示す斜視図である。
【図１０】扉枠（または取付台）から戸当り本体を外すために、回転操作部を回転している状態を示す斜視図である。
【図１１】扉枠（または取付台）から戸当り本体をスライドさせて外した状態を示す斜視図である。
【発明を実施するための形態】
【００１８】
以下、本発明の実施の形態に係る戸当りを、図面に基づき説明する。
図１などにおいて、１０は本発明の実施の形態に係る戸当り、１はこの戸当り１０が当接可能な姿勢で、浴室などの空間（室内空間）への出入口を開閉自在に配置されている扉、２は出入口の周囲に設けられるとともに戸当り１０が取り付けられる扉枠である。扉１は、図外のヒンジにより縦軸心のヒンジ軸を中心として室内方向だけでなく室外方向（手前側）にも回動自在に（すなわち両開き可能な状態で）支持されている。なお、この実施の形態では、扉１がガラス製であり、扉１の上辺端部に、戸当り１０を受ける金属製の受け金具３が、スポンジゴムなどの緩衝材（図示せず）などを介して組み付けられている場合を図示している。しかし、必ずしもこれに限るものではなく、扉１は透光性を有しない素材で構成されていてもよい。
【００１９】
図１〜図４に示すように、戸当り１０は、扉１に当接可能な姿勢で扉枠２に取り付けられ、この実施の形態では、扉枠２の天井部（上辺部）から垂下する姿勢で取り付けられて（固定されて）いる。
【００２０】
図１〜図４などに示すように、戸当り１０は、扉枠２に固定ねじ１１などにより取り付けられる取付台１２と、この取付台１２に着脱自在で扉１に当接可能な戸当り本体１３と、戸当り本体１３を取付台１２に連結する連結部１４、などを有する。すなわち、戸当り本体１３は、扉枠２に取り付けられる取付台１２に対して着脱自在である。戸当り本体１３は、合成ゴムなどの弾性を有する材料で構成されて扉１に当接して受ける当り部１５と、この当り部１５を支持する本体部１６とからなる。
【００２１】
戸当り本体１３の本体部１６には、扉枠２に沿うように左右に延びる略矩形平板状の基板部１６ａと、この基板部１６ａの前縁部と後縁部とからそれぞれ上方および内側に湾曲するように形成されて、取付台１２をスライド自在に保持する湾曲保持部１６ｂと、基板部１６ａから下方に延びて当り部１５がねじ１７により取り付けられる垂下部１６ｃなどが一体形成されている。なお、上記したように、扉１に受け金具３が設けられている場合には、扉１に当接して受ける当り部１５に、扉１を受けた際に扉１が反動で撥ねることをその吸着力で軽減する磁石が内蔵されていると好適であるが、これに限るものではない。
【００２２】
図４、図５、図８などに示すように、扉枠２に取り付けられて固定される取付台１２は、戸当り本体１３が取り外されて単体となった状態で、戸当り本体１３を取り外した箇所を扉１が通過するように回動させても、取付台１２が扉１に干渉しない形状に形成されている。なお、扉枠２から戸当り本体１３を取り外す手順については後述する。この実施の形態では、取付台１２は、扉枠２の天井部（上辺部）に沿って左右に延びる形状とされ、取付台１２全体が、開閉される扉１と扉枠２との間の隙間に配置されるよう構成されている。なお、取付台１２は、後述するように手前側（室外側）に回動されて開けられる際に、扉１に干渉しないように配置されていればよく、取付台１２の一部が扉枠２の近傍（例えば扉枠２の手前側の側面近傍箇所や奥側の側面近傍箇所など、扉１が手前側（室外側）に回動される際に、干渉しない領域）に設けられていればよい。
【００２３】
取付台１２は、扉枠２に取り付ける固定ねじ１１の挿通孔１２ｂが複数形成されて、扉枠２に密着した状態で取り付けられている左右に延びる略矩形平板状の取付板部１２ａと、この取付板部１２ａの前縁部と後縁部とに下方から前方（または後方）に段付き形状に延びて、戸当り本体１３の湾曲保持部１６ｂにスライド自在に挿入されるスライド部１２ｃと、取付板部１２ａの一側辺部から下方に屈曲するともに前後に延びて、戸当り本体１３を装着した際でも外部に露出する露出片部１２ｄと、スライド部１２ｃの厚み方向（この実施の形態では下方）に突出して取付台１２に対する戸当り本体１３の組付け挿入時のがたつきを低減させる凸形状に形成されている複数の規制部１２ｆと、が一体形成されている。なお、この実施の形態では、規制部１２ｆが、取付板部１２ａおよびスライド部１２ｃが形成されている箇所の四つ角部近傍に形成されているが、これに限るものではない。
【００２４】
図３、図４などに示すように、戸当り本体１３を取付台１２に連結する連結部１４は、戸当り本体１３に回転自在に取り付けられ、戸当り本体１３より露出して回転自在の回転操作部１８と、回転操作部１８と一体的に回転する係止回転体１９と、これらを連結する連結ねじ２０と、回転操作部１８と係止回転体１９との間に介装され、薄肉で厚肉方向に弾性変形可能とされた波状ワッシャ２１とが設けられている。回転操作部１８には、溝部１８ａが形成された頭部１８ｂと、頭部１８ｂから上方に延びる軸部１８ｃと、軸部１８ｃの先端に形成された四角形状の段付き突部１８ｄと、軸部１８ｃの中心に形成されて、連結ねじ２０のねじ部が螺合される雌ねじ部１８ｅと、が形成されている。
【００２５】
また、図４などに示すように、戸当り本体１３（本体部１６）の基板部１６ａには、回転操作部１８の軸部１８ｃを下方から挿通する挿通孔１６ｄが形成され、基板部１６ａの挿通孔１６ｄを通して上方に延びる軸部の先端部（四角形状の段付き突部１８ｄが設けられている箇所）に、基板部１６ａとの間に波状ワッシャ２１を挟んだ状態で係止回転体１９に形成された角孔１９ａが嵌め込まれ、この状態で、連結ねじ２０により、回転操作部１８と係止回転体１９とが一体的に回転できる状態で連結されている。
【００２６】
図４、図８などに示すように、係止回転体１９は、連結ねじ２０により連結されている箇所から直径方向に平板状に延び、両端部には緩やかに湾曲する円弧部１９ｂが形成されている。回転操作部１８の溝部１８ａは、硬貨の外周部が挿入可能とされ、硬貨などを溝部１８ａに挿入するなどして、回転操作部１８を回転すると、係止回転体１９が、戸当り本体１３が取付台１２から離脱できない係止姿勢（図８の仮想線部参照）と、戸当り本体１３が取付台１２から離脱可能な離脱可能姿勢（図８の実線部参照）と、にわたって一体的に回転する。この実施の形態では、係止回転体１９が係止姿勢である場合には、図３に示すように、係止回転体１９の円弧部１９ｂが戸当り本体１３の基板部１６ａと取付台１２のスライド部１２ｃとの間に嵌り込むとともに、スライド部１２ｃに設けられた規制部１２ｆにより戸当り本体１３が取付台１２から離脱することが規制される。一方、係止回転体１９が離脱可能姿勢である場合には、係止回転体１９の円弧部１９ｂが戸当り本体１３の基板部１６ａと取付台１２のスライド部１２ｃとの間から離脱して、戸当り本体１３が取付台１２に対して扉枠２が延びるなどする横方向（例えば右方向であり、扉１の回動方向に対して直交する直線方向である）にスライド可能であるとともに、図９に示すように戸当り本体１３をスライドすることで取付台１２から離脱可能である。
【００２７】
上記構成において、扉１を通常状態で使用する時には、図１などに示すように、扉枠２に取り付けられている取付台１２に戸当り本体１３が連結されているとともに、係止回転体１９が係止姿勢とされて、連結部１４により、戸当り本体１３が取付台１２に固定されている。
【００２８】
したがって、扉１が出入口を閉じる位置にある場合には、戸当り１０によって扉１が当接した状態で受けられ、手前側（室外側）には回動せず、室内側のみ回動して開放状態となることが可能な片開き構造となっている。
【００２９】
一方、浴室などの室内側空間において、意識を失うなどした人が扉１に室内側から寄りかかるなどして扉１が開かなくなった場合には、硬貨を回転操作部１８の溝部１８ａに挿入するなどして、図１０に示すように、回転操作部１８を回転する（例えば９０度回転する）。これにより、係止回転体１９が係止姿勢から離脱可能姿勢に切り替えられ、係止回転体１９の円弧部１９ｂが戸当り本体１３の基板部１６ａと取付台１２のスライド部１２ｃとの間から離脱する。
【００３０】
これにより、戸当り本体１３は取付台１２に対して自由にスライドできる状態となるため、図９、図１１、図６に示すように、戸当り本体１３を横方向（この場合は右方向）にスライドさせて、戸当り本体１３を取り外すことで、扉１を支障なく手前に開けることができる。これにより、危険を伴ったり、多くの手間や時間をかけたりしなくても扉１を手前に開けることができ、意識を失うなどした人を安全かつ多くの手間や時間をかけずに救出することができる。
【００３１】
また、上記構成によれば、戸当り本体１３が、取付台１２に対して、扉１の回動方向（平面視して、ヒンジ軸を中心として前後に回動する方向）に対して直交する直線方向（この実施の形態では左右方向）にスライド自在に取り付けられている。これにより、通常使用時において戸当り１０に扉１が当接して受けられた際に、戸当り本体１３が、取付台１２に対して離脱する方向には移動せず、戸当り１０によって扉１を良好に受け止めることができ、ひいては当該戸当りの信頼性を向上することができる。
【００３２】
なお、上記の実施の形態では、戸当り本体１３が、取付台１２に対して、左右方向にスライド自在に取り付けられている場合を述べ、これにより、扉枠２などに干渉することなく良好に戸当り本体１３を取り外すことができる。しかしながら、これに限るものではなく、戸当り本体１３を下方など、扉１の回動方向とは異なるとともに、直交する直線方向（直交する面内に含まれる直線方向）にスライドして取り外し可能に構成してもよい。
【００３３】
また、上記構成によれば、取付台１２が、開閉される扉１と扉枠２との間の隙間に配置されているので、戸当り本体１３を取付台１２から取り外した際に、取付台１２が扉１に干渉することなく、扉１を良好に手前に開けることができる。
【００３４】
また、上記構成によれば、戸当り本体１３を取付台１２に連結する連結部１４を有し、連結部１４は、戸当り本体１３に回転自在に取り付けられ、戸当り本体１３より露出して回転自在の回転操作部１８と、回転操作部１８と一体的に回転して、戸当り本体１３が取付台１２から離脱可能な離脱可能姿勢と、戸当り本体１３が取付台１２から離脱できない係止姿勢とに切り替えられる係止回転体１９と、が設けられている。
【００３５】
この構成によれば、係止回転体１９を係止姿勢に保持することで戸当り本体１３が取付台１２から離脱することを防止できる。また、この状態から回転操作部１８を操作して、係止回転体１８を離脱可能姿勢に切り替えることで、戸当り本体１３を取り外すことが可能となり、戸当り本体１３を取り外す際の手間や時間を最小限に抑えることができる。
【００３６】
また、上記構成によれば、取付台１２が、戸当り本体１３に対してスライド自在のスライド部１２ｃを有し、スライド部１２ｃに、係止回転体１９が係止姿勢である場合に、戸当り本体１３が取付台１２から離脱することを規制する規制部１２ｆが設けられている。この構成により、規制部１２ｆによって戸当り本体１３が取付台１２から外れることをより確実に防止でき、ひいては当該戸当りの信頼性を向上することができる。
【００３７】
また、上記構成によれば、規制部１２ｆが、スライド部１２ｃの厚み方向に突出して取付台１２に対する戸当り本体１３の組付け時のがたつきを低減させる凸形状に形成されており、この機能と兼用している。したがって、戸当り本体１３が取付台１２から離脱することを規制する規制部を、戸当り本体１３の組付け時のがたつきを低減させる凸部とは別に設けた場合と比較して、製造コストを低減することができる。
【００３８】
また、上記構成によれば、回転操作部１８が、硬貨を用いて切替可能に構成されている。これにより、戸当り本体１３を取り外すための工具などを使用しなくても、硬貨を用いて回転操作部１８および係止回転体１９を回転させて戸当り本体１３を取付台１２から容易に取り外すことができる。したがって、扉１を素早く手前に開けることができ、意識を失うなどした人を安全かつ多くの手間や時間をかけずに救出することができる。
【符号の説明】
【００３９】
１      扉
２      扉枠
１０    戸当り
１２    取付台
１３    戸当り本体
１４    連結部
１５    当り部
１６    本体部
１８    回転操作部
１９    係止回転体
２０    連結ねじ
【図１】
2019131952.tif 000003
【図２】
2019131952.tif 000004
【図３】
2019131952.tif 000005
【図４】
2019131952.tif 000006
【図５】
2019131952.tif 000007
【図６】
2019131952.tif 000008
【図７】
2019131952.tif 000009
【図８】
2019131952.tif 000010
【図９】
2019131952.tif 000011
【図１０】
2019131952.tif 000012
【図１１】
2019131952.tif 000013